【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
記録媒体に画像を記録する記録手段と、
前記記録手段によって画像が記録され第１の方向に排出される記録媒体を積載するためのトレイを、前記第１の方向と交差する第２の方向に移動させるトレイ移動手段と、
前記トレイに積載された記録媒体に当接し積載量に応じて移動可能な当接部材を、前記積載された記録媒体に当接することが可能な第１ポジションと、前記積載された記録媒体から離間された第２ポジションと、の間で移動させる当接部材移動手段と、
前記トレイ移動手段および前記当接部材移動手段を制御する制御手段と、
を備える画像記録装置であって、
前記制御手段は、記録媒体を前記トレイに排出する際に、前記当接部材移動手段を制御して前記当接部材が前記第１ポジションにある状態にし、前記トレイ移動手段に前記トレイを前記第２の方向に移動させない第１のモードと、前記当接部材移動手段を制御して前記当接部材が前記第２ポジションにある状態にし、記録媒体の排出に応じて前記トレイ移動手段に前記トレイを前記第２の方向に移動させる第２のモードと、を実行することが可能であることを特徴とする画像記録装置。
【請求項２】
前記第１ポジションにあって前記積載された記録媒体に当接している前記当接部材の位置に基づいて、前記トレイにおける前記記録媒体の満載を検出する満載検出手段を更に備え、
前記満載検出手段が満載を検出した場合、前記制御手段は前記記録手段に記録動作を停止させることを特徴とする請求項１に記載の画像記録装置。
【請求項３】
前記第２のモードにおいて、前記制御手段は、前記記録手段に画像を記録させながら、前記トレイ移動手段に、前記記録手段によって画像が記録された記録媒体の排出に同期して前記トレイを前記第２の方向に移動させることを特徴とする請求項１または２に記載の画像記録装置。
【請求項４】
前記第２のモードにおいて、前記制御手段は、前記トレイの移動が完了した後、前記当接部材移動手段に前記当接部材を前記第２ポジションから前記第１ポジションに移動させることを特徴とする請求項１から３のいずれか１項に記載の画像記録装置。
【請求項５】
前記制御手段は、前記トレイ移動手段に前記トレイを前記第２の方向に移動させることにより、移動領域の原点位置を取得するための初期化動作を行うことを特徴とする請求項１から４のいずれか１項に記載の画像記録装置。
【請求項６】
前記初期化動作は、前記トレイが前記移動領域のうち一部の領域を移動する第１の初期化動作と、前記トレイが前記移動領域の全ての領域を移動する第２の初期化動作とを有することを特徴とする請求項５に記載の画像記録装置。
【請求項７】
前記記録手段は、前記トレイの鉛直下方に配され、画像データに従ってインクを吐出するフルラインタイプのインクジェット記録ヘッドであることを特徴とする請求項１から６のいずれか１項に記載の画像記録装置。
【請求項８】
前記当接部材は、前記トレイに積載された記録媒体に当接し積載量に応じて回転可能なことを特徴とする請求項１から７のいずれか１項に記載の画像記録装置。
【請求項９】
記録媒体を前記トレイに排出する排出手段をさらに備えることを特徴とする請求項１から８のいずれか１項に記載の画像記録装置。
【請求項１０】
記録媒体に画像を記録する記録手段と、
前記記録手段によって画像が記録され第１の方向に排出される記録媒体を積載するためのトレイと、
前記トレイに積載された記録媒体に当接し、積載量に応じて移動可能な当接部材と、
を備える画像記録装置の制御方法であって、
記録媒体を前記トレイに排出する際に、前記当接部材が前記積載された記録媒体に当接することが可能な第１ポジションにある状態にし、前記トレイを前記第１の方向と交差する第２の方向に移動させない第１のモードと、
前記当接部材が前記積載された記録媒体から離間された第２ポジションにある状態にし、記録媒体の排出に応じて前記トレイを前記第２の方向に移動させる第２のモードと、を実行することが可能であることを特徴とする制御方法。
【請求項１１】
前記第１ポジションにあって前記積載された記録媒体に当接している前記当接部材の位置に基づいて、前記トレイにおける前記記録媒体の満載を検出する満載検出工程を有し、
前記満載検出工程で満載を検出した場合、前記記録手段に記録動作を停止させることを特徴とする請求項１０に記載の制御方法。
【請求項１２】
前記第２のモードでは、前記記録手段によって画像が記録された記録媒体の排出に同期して前記トレイを前記第２の方向に移動させることを特徴とする請求項１０または１１に記載の制御方法。
【請求項１３】
前記第２のモードでは、前記トレイの移動が完了した後、前記当接部材を前記第２ポジションから前記第１ポジションに移動させることを特徴とする請求項１０から１２のいずれか１項に記載の制御方法。
【請求項１４】
前記トレイを前記第２の方向に移動させることにより、移動領域の原点位置を取得するための初期化動作を行うことを特徴とする請求項１０から１３のいずれか１項に記載の制御方法。
【請求項１５】
前記初期化動作は、前記トレイが前記移動領域のうち一部の領域を移動する第１の初期化動作と、前記トレイが前記移動領域の全ての領域を移動する第２の初期化動作を有することを特徴とする請求項１４に記載の制御方法。
【請求項１６】
前記当接部材は、前記トレイに積載された記録媒体に当接し積載量に応じて回転可能なことを特徴とする請求項１０から１５のいずれか１項に記載の制御方法。
【請求項１７】
画像が記録され第１の方向に排出される記録媒体を積載するためのトレイを、前記第１の方向と交差する第２の方向に移動させるトレイ移動手段と、
前記トレイに積載された記録媒体に当接し積載量に応じて回転可能な当接部材を、前記積載された記録媒体に当接することが可能な第１ポジションと、前記積載された記録媒体から離間された第２ポジションと、の間で移動させる当接部材移動手段と、
前記トレイ移動手段および前記当接部材移動手段を制御する制御手段と、
を備える記録媒体排出装置であって、
前記制御手段は、記録媒体を前記トレイに排出する際に、前記当接部材移動手段を制御して前記当接部材が前記第１ポジションにある状態にし、前記トレイ移動手段に前記トレイを前記第２の方向に移動させない第１のモードと、前記当接部材移動手段を制御して前記当接部材が前記第２ポジションにある状態にし、記録媒体の排出に応じて前記トレイ移動手段に前記トレイを前記第２の方向に移動させる第２のモードと、を実行することが可能であることを特徴とする記録媒体排出装置。
【手続補正２】
【補正対象書類名】明細書
【補正対象項目名】０００３
【補正方法】変更
【補正の内容】
【０００３】
【特許文献１】特開２００６−１３７６１０号公報
【手続補正３】
【補正対象書類名】明細書
【補正対象項目名】０００９
【補正方法】変更
【補正の内容】
【０００９】
そのために本発明は、記録媒体に画像を記録する記録手段と、前記記録手段によって画像が記録され第１の方向に排出される記録媒体を積載するためのトレイを、前記第１の方向と交差する第２の方向に移動させるトレイ移動手段と、前記トレイに積載された記録媒体に当接し積載量に応じて移動可能な当接部材を、前記積載された記録媒体に当接することが可能な第１ポジションと、前記積載された記録媒体から離間された第２ポジションと、の間で移動させる当接部材移動手段と、前記トレイ移動手段および前記当接部材移動手段を制御する制御手段と、を備える画像記録装置であって、前記制御手段は、記録媒体を前記トレイに排出する際に、前記当接部材移動手段を制御して前記当接部材が前記第１ポジションにある状態にし、前記トレイ移動手段に前記トレイを前記第２の方向に移動させない第１のモードと、前記当接部材移動手段を制御して前記当接部材が前記第２ポジションにある状態にし、記録媒体の排出に応じて前記トレイ移動手段に前記トレイを前記第２の方向に移動させる第２のモードと、を実行することが可能であることを特徴とする。